(57)【要約】【課題】入水量と排水量の不均衡のために原水が容器から漏れたり、飼育水槽の原水が少なくなって魚類が死亡したり、原水が、飼育水槽内の還流が適切でなく魚類が弱ったり死んだりした。また飼育水槽内に魚類の糞や塵が滞留し、腐敗して魚類の死亡の原因になっていた、また糞や塵や死んだ魚類を誤認識や誤判断をした。魚類の飼育環境を考慮しなかったために魚類が頻繁に死亡し、毒物含有が原因なのかの判断に迷いが生じていた。飼育水槽の保守や清掃などを簡便にする必要があった。【解決手段】水槽は受水槽とポンプ水槽と飼育水槽とに分割し、配管は入水配管と排水配管とで構成した、受水槽には入水配管と排水配管を接続し、飼育水槽には排水配管が接続され、入水量と排水量をコントロールする。排水配管にはオーバーフロー管があり、飼育水槽の入水配管には入水調整弁と入水量確認弁を具備し、排水配管には排水弁を具備した。【選択図】図１
2008102901.tif 000002
【特許請求の範囲】
【請求項１】
水槽は受水槽とポンプ水槽と飼育水槽とに分割され、配管は入水配管と排水配管とで構成される、受水槽には入水配管のＣ管と排水配管のＥ管が接続され、飼育水槽には排水配管のＦ管とＧ管とＭ管が接続され、入水量と排水量をコントロールすることを特徴とする魚類監視水槽。
【請求項２】
請求項１記載の飼育水槽に接続された排水配管のＦ管とＬ管の水位レベルを合わせることで飼育水槽の水位を保持することを特徴とする魚類監視水槽。
【請求項３】
請求項１記載の飼育水槽のＧ管は電磁弁が具備され、排水配管のＥ管とＦ管はオーバーフロー管とすることを特徴とする魚類監視水槽。
【請求項４】
請求項１記載の飼育水槽の入水配管には入水調整弁と入水量確認弁を具備し、排水配管には排水弁２個を具備することを特徴とする魚類監視水槽。
【発明の詳細な説明】
【技術分野】
【０００１】
本発明は、原水に含まれる含有毒物を魚類の行動で監視する魚類監視水槽において、原水の入水量と排水量を一定に保ち、飼育水槽の魚類を長期的に飼育し、観察することで原水に含まれる含有毒物を正確に見分けることができるようにした魚類監視水槽に関するものである。
【背景技術】
【０００２】
従来、河川や湖から飲料用水として取水する原水には有毒物質、例えばＰＣＢ（ポリ塩化ビフェニール）などの有機塩素系化合物、水銀、カドミウム、鉛、亜鉛などの有害重金属、ダイオキシン、シアン化カリウムや農薬などの混入する事態が発生しないとも限らない、このため原水の水質管理は大変重要であり２４時間連続した監視が必要である。
そこで、取水した原水を連続的に魚類飼育水槽に通水させ、その水槽内で飼育している魚類を監視カメラで常時撮影し、監視中の魚類の行動が正常か異状かを画像処理装置によって解析し、異状と装置が判断した場合は自動的にアラームを出す魚類による水質自動監視装置に組み込まれる監視水槽が知られている。
【特許文献１】特開２００３−００１８０９号公報
【特許文献２】実開２００３−００００６４号公報
【発明の開示】
【発明が解決しようとする課題】
【０００３】
しかし、従来の魚類監視水槽は以下の問題があった。
（１）  入水量と排水量の不均衡のために原水が容器から漏れ、また逆に飼育水槽の原水が少なくなって魚類が死亡した。
（２）  原水が、飼育水槽内を還流することが魚類の飼育環境の活性化に有効に作用するが、還流が適切でなく魚類が弱ったり死んだりした。
（３）  飼育水槽内に魚類の糞や塵が滞留し、腐敗して魚類の死亡の原因になっていた、また糞や塵を魚類と誤認識することもあった。
（４）  死んだ魚類が飼育水槽内に浮揚し、活きて泳いでいると誤判断をした。
（５）  従来は、魚類の飼育環境を考慮しなかったために魚類が頻繁に死亡し、毒物含有が原因なのかの判断に迷いが生じていた。
（６）  飼育水槽の保守や清掃などを簡便にする必要があった。
【課題を解決するための手段】
【０００４】
上記目的を達成するため、請求項１記載の発明は、水槽は受水槽とポンプ水槽と飼育水槽とに分割され、配管は入水配管と排水配管とで構成される、受水槽には入水配管のＣ管と排水配管のＥ管が接続され、飼育水槽には排水配管のＦ管とＧ管とＭ管が接続され、入水量と排水量をコントロールすることを特徴とする。
また、請求項２記載の発明は、請求項１記載の発明において、飼育水槽に接続された排水配管のＦ管とＬ管の水位レベルを合わせることで飼育水槽の水位を保持することを特徴とする。また、請求項３記載の発明は、請求項１記載の発明において、飼育水槽のＧ管は電磁弁が具備され、排水配管のＥ管とＦ管はオーバーフロー管とすることを特徴とする。また、請求項４記載の発明は、請求項１記載の発明において、飼育水槽の入水配管には入水調整弁と入水量確認弁を具備し、排水配管には排水弁２個を具備することを特徴とする。
【発明の効果】
【０００５】
本発明の魚類監視水槽は、入水量と排水量の均衡が図られ、原水の水漏れを無くし、魚類の誤判断や誤認識を解消し、長期に魚類の飼育ができるという効果を奏する。
【発明を実施するための最良の形態】
【０００６】
原水の含有毒物を魚類行動で２４時間連続自動監視を監視カメラや画像処理装置で行うため、本発明の魚類監視水槽は、原水の水位の保持や還流や入排水量の調整等によって、飼育水槽の魚類の棲息環境を整えることで実現した。
【実施例】
【０００７】
以下、この発明に係わる魚類監視水槽の実施形態を添付図面を参照して詳細に説明をする。図１は、この発明に係わる魚類監視水槽の実施の形態を示す斜視図である。
また、図２は、入水配管の実施の形態を示す斜視図である。また、図３は、排水配管の実施の形態を示す斜視図である。また、図４は、監視水槽の実施の形態を示す平面図である。また、図５は、本発明の魚類監視水槽を使用する水質自動監視装置の全体図である。
【０００８】
魚類監視水槽１は受水槽２、ポンプ水槽３、飼育水槽４で分割され、配管は入水配管５と排水配管６とで構成されている、矢印は原水の流れる方向を指し示す。
【０００９】
まず原水イはＡ管から入水し、入水量調整弁Ｂを開いてＣ管から原水ロが受水槽２に受水される、入水量調整弁Ｂによって入水量を調節する、入水量の確認は入水量確認弁Ｄを開いて行う、運転時は閉じた状態にある。
【００１０】
受水槽２Ｃ管の対面壁面に数個の孔が斜段に空けられている、水位の位置に応じて下段から上段へと順次斜段孔から原水ハがポンプ槽３に入水する。
【００１１】
ポンプ槽３に入水した原水ニは循環ポンプ７よって飼育水槽４内に噴出される。
【００１２】
飼育水槽４は上部を開放した四角形の箱状で製作され、深さは２０センチメートル以内と浅い、そのため水槽の清掃などメンテナンスを容易にしている、材質は製作加工を容易にするため乳白アクリル板で製作されている、透明や黒色のアクリル板は鏡の作用で魚類の姿が写り魚類にストレスを与えるので好ましくない、監視カメラ１５は飼育水槽４の天井部に設置され俯瞰される、飼育水槽４には小型の魚類１４、例えばメダカなど２０匹前後が常時、原水中の毒物含有の試験魚として長期間飼育される。
【００１３】
四角形の飼育水槽４の三ヶ所の角には三日月形状板８、９、１０を貼着することで、水槽内部を円形状にし、循環ポンプ７よって噴出された原水ニは四角形の水槽の角に滞留することなく飼育水槽４内を円状に還流する。
【００１４】
例えば毒物が原水中に含有すると飼育水槽４の魚類１４は当然毒物に侵されて泳ぐ力が弱まり、飼育水槽４内の原水が円状に還流している流れに流される、通常魚類は水の流れに向かって泳ぐ習性をもつが、毒物に侵されると流れに向かって泳ぐことができなくなる。
【００１５】
飼育水槽４の底部の中心部に排水口１１が開孔している、この開孔部にポールを立て、ポールに網目のネットを繋着し、片方を飼育水槽４の内壁に掛着することで毒物に侵されて円状の流れに流された魚類は網目の捕獲ネット１３に掛着し泳ぎができなくなる。
【００１６】
俯瞰で撮影する監視カメラ１５は、映像信号を画像処理装置１６に送り、画像処理装置では泳いでいる魚類の数を１秒間に数回解析して数が減少すれば段階的にアラームを出す仕組みになっている。
【００１７】
詳しく書けば、常時泳いでいる飼育水槽４内の魚類１４の総数を予め決めておき、毒物に侵されて流れに向かって泳ぐことができなくなった魚類は、網目の捕獲ネット１３に掛着し総数から除外され、泳いでいる魚類だけが解析される。
【００１８】
画像処理装置１６は泳いでいる魚類１４を解析して、その結果として減少があれば、減少数に応じて段階的なアラームを出す、全数が泳がなくなったときは重大警報となり、電磁弁Ｉを自動的に開いて飼育水槽４内の原水を検査水として採水する。
【００１９】
飼育水槽４の三ヶ所の三日月形状板８、９、１０のうち、一ヶ所の三日月形状板１０には多数の孔１０ａが空けられている。
【００２０】
三日月形状板１０に空けられた多数孔１０ａから飼育水槽４内の原水が常に流れ込み、飼育水槽４の水位と同じレベルを保持している、多数孔１０ａは魚類より小さな孔で魚類がこの孔を通過することはない、この位置の飼育水槽４の外周面に排水配管６のＦ管が上部にＧ管が下部に接続されている。
【００２１】
飼育水槽４とポンプ水槽３との隔壁１２にも多数孔１２ｂが空けられている、原水チは隔壁１２の多数孔１２ｂを通過して常に飼育水槽４とポンプ水槽３の水位と同じレベルを保持している。
【００２２】
これによって循環ポンプ７の空運転を防止し、循環ポンプの噴出しの水圧を減衰し、還流を緩やかにすることで、魚類の習性に応じた最適な泳ぎが出来る環境を与えることで活性力を高め、長期の飼育が可能になる。
【００２３】
飼育水槽４内の原水水位が平常より上昇したとき原水ヘはＦ管からオーバーフローする、これによって飼育水槽４から原水が溢れることがなく漏水を防止できる、オーバーフローした原水ヘはＮ管から最終的に排出される。
【００２４】
飼育水槽４内に飼育している魚類の全数が泳いでいないと解析したときは、自動的に電磁弁Ｉを開き原水を検査水として採水する、採水容器はＨ管の先に接続される。
【００２５】
既に上記で説明したが、原水ニは循環ポンプ７よって飼育水槽４内に噴出され、飼育水槽４の三ヶ所の角の三日月形状板８、９、１０を貼着することで原水は飼育水槽４内を円状に還流できる、円状に還流することで遠心分離作用が働き魚の糞や塵は中心部に集まる。
【００２６】
飼育水槽４の底部の中心部には排水口１１が設けられ、魚類の糞や塵はここかから排出される、魚類が排水口１１から糞や塵と一緒に逃げ出さないように魚類より小さな網の目の蓋をかぶせている。
【００２７】
排水口１１には排水配管６のＭ管が接続され、原水ホが糞や塵と一緒に排水される、強制的に排水する場合は手動バルブの排水弁Ｋや排水弁Ｊを開くことで原水ヌが排水される。
【００２８】
また、排水弁Ｋと排水弁Ｊは入水量に合わせて排水量を調整する排水調整弁でもある。
【００２９】
排水弁Ｋと排水弁Ｊによって飼育水槽４内の糞や塵が腐敗してアンモニア等の発生による魚類の死亡原因を除去できる。
【００３０】
飼育水槽４の水位を一定に保持するために排水配管６のＬ管をＦ管の位置レベルを合わせることで常に水位を維持できる、排水弁Ｋと排水弁Ｊは飼育水槽４の水位を一定に保持するためにも使用される。
【００３１】
Ｏ管では排水配管６内に溜まった空気を抜くエアー抜きである、これによってＬ管の位置レベルなどの排水配管６内の原水移動がスムーズに行われる。
【産業上の利用可能性】
【００３２】
水道施設や飲料水製造工場の原水連続処理中の有毒物質含有を２４時間連続自動監視で行う、バイオアッセイ法の水質自動監視装置の不可欠な魚類水槽の用途に適用できる。
【図面の簡単な説明】
【００３３】
【図１】魚類監視水槽の実施の形態を示す斜視図である。
【図２】入水配管の実施の形態を示す斜視図である。
【図３】排水配管の実施の形態を示す斜視図である。
【図４】監視水槽の平面図である。
【図５】本発明の魚類監視水槽を使用する水質自動監視装置の全体図である。
【符号の説明】
【００３４】
１  魚類監視水槽
２  受水槽
３  ポンプ水槽
４  飼育水槽
５  入水配管
６  排水配管
７  循環ポンプ
８、９、１０、  三日月形状板
１０ａ  三日月形状板多孔
１１  排水口
１２  入水パイプ
１３  捕獲ネット
１４  魚類
１５  監視カメラ
１６  画像処理装置
Ａ、Ｃ、Ｅ、Ｆ、Ｇ、Ｈ、Ｊ、Ｎ、Ｍ、Ｏ、    管
Ｂ  入水調整弁
Ｄ  入水量確認弁
Ｉ  電磁弁
Ｊ、Ｋ、    排水弁
イ、ロ、ハ、ニ、ホ、ヘ、ト、チ、リ、ヌ、    原水
【図２】
2008102901.tif 000003
【図３】
2008102901.tif 000004
【図４】
2008102901.tif 000005
【図５】
2008102901.tif 000006
【図１】
2008102901.tif 000007